(57)【要約】【課題】  電動ブラインドに設置する日射遮蔽体の昇降限度位置検出機構であって、日射遮蔽体を所定の昇降限度位置に高精度で停止させることができるものを提供する。【解決手段】  モータにより回転する回転軸と、その回転軸に一体回転するが軸方向には摺動自在に取り付けられるドラムと、そのドラムに外嵌してネジ係合するスリーブを有するドラムベースと、上端部がドラムに止着され下端部が日射遮蔽体に止着される昇降コードとを備える電動ブラインドにおいて、昇降限度位置検出機構は、ドラムに取り付ける検出体と、検出体が近接するドラムベース上の位置に取り付ける非接触スイッチとからなる。【選択図】      図１
2006112166.tif 000002
【特許請求の範囲】
【請求項１】
モータにより日射遮蔽体を昇降させる電動ブラインドにおいて、前記日射遮蔽体の所定の昇降限度位置への到達を検出するために、前記電動ブラインドの移動部分に配設される磁性体、反射板等の検出体と、固定部分に配設される近接スイッチ、光電スイッチ等の非接触スイッチとからなることを特徴とする電動ブラインドの昇降限度位置検出機構。
【請求項２】
電動ブラインドは、モータにより回転する回転軸と、前記回転軸に一体回転するが軸方向には摺動自在に取り付けられるドラムと、前記ドラムに外嵌してネジ係合するスリーブを有するドラムベースと、上端部が前記ドラムに止着され下端部が日射遮蔽体に止着される昇降コードとを備え、検出体は、前記ドラムに取り付けられ、非接触スイッチは、前記日射遮蔽体が所定の昇降限度位置に達するとき、前記ベース上の前記検出体が近接する位置に取り付けられることを特徴とする請求項１に記載の電動ブラインドの昇降限度位置検出機構。
【請求項３】
複数の検出体及び非接触スイッチが取り付けられ、一方の検出体は、日射遮蔽体が上昇限度位置に達するときに一方の非接触スイッチに近接し、他方の検出体は、日射遮蔽体が下降限度位置に達するときに他方の非接触スイッチに近接することを特徴とする請求項２に記載の電動ブラインドの昇降限度位置検出機構。
【請求項４】
検出体は、ドラムに一体回転するように外嵌されるリングに取り付けられることを特徴とする請求項２又は３に記載の電動ブラインドの昇降限度位置検出機構。
【請求項５】
リングとドラムはネジ係合することを特徴とする請求項４に記載の電動ブラインドの昇降限度位置検出機構。
【請求項６】
リングはドラムと外力によりスリップ可能に摩擦嵌合することを特徴とする請求項４又は５に記載の電動ブラインドの昇降限度位置検出機構。
【請求項７】
ドラムとリングの間に弾性体が介在することを特徴とする請求項６に記載の電動ブラインドの昇降限度位置検出機構。
【請求項８】
リングは内周面に環状座を有し、前記環状座に前記リング内周面を弧状に横切るバネ線又はバネ板が装着されることを特徴とする請求項７に記載の電動ブラインドの昇降限度位置検出機構。
【請求項９】
日射遮蔽体が所定の上昇又は下降限度位置に達するとき、検出体はリングの最下位置にあり、かつ非接触スイッチの直上に位置するように設定されることを特徴とする請求項４ないし８のいずれか１つに記載の電動ブラインドの昇降限度位置検出機構。
。
【発明の詳細な説明】
【技術分野】
【０００１】
本発明は、電動ブラインドの日射遮蔽体の昇降限度位置を検出する機構に関する。
【背景技術】
【０００２】
モータを回転させて昇降コードをドラムに巻き取り巻き解いて日射遮蔽体を開閉する電動ブラインドにおいて、日射遮蔽体の昇降限度位置を検出する従来の機構は、ドッグとマイクロスイッチ又はリミットスイッチとからなる接触方式である。ドッグは、回転しながら軸方向に摺動するドラムに取り付けられ、マイクロスイッチ又はリミットスイッチは、ヘッドボックスに固定されてドラムを支持するドラムベースに取り付けられる。昇降コードがドラムに巻き取られて日射遮蔽体が上昇又は下降限度位置に達すると、マイクロスイッチ又はリミットスイッチがドッグと接触して作動し、モータの回転を停止させる。
しかし、このような接触方式の検出機構は、検出から作動までにラグがあるため、日射遮蔽体を所定の昇降限度位置に高精度で停止させることができないという問題がある。また、従来機構は、ドッグの固定位置を変更して昇降限度位置を調整するため、昇降限度位置の調整が厄介であるという問題もある。
【特許文献１】特開平５−３１９７２５号公報
【発明の開示】
【発明が解決しようとする課題】
【０００３】
本発明は、上記問題を解決するためになされたものであり、その課題は、モータを回転させて日射遮蔽体を昇降して開閉する電動ブラインドに設置する日射遮蔽体の昇降限度位置検出機構であって、日射遮蔽体を所定の昇降限度位置に高精度で停止させることが可能であると共に、昇降限度位置の調整も容易なものを提供することである。
【課題を解決するための手段】
【０００４】
前記課題を達成するため、本発明は、モータにより日射遮蔽体を昇降させる電動ブラインドにおいて、日射遮蔽体の所定の昇降限度位置への到達を検出するために、電動ブラインドの移動部分に磁性体、反射板等の検出体を配設し、固定部部に近接スイッチ、光電スイッチ等の非接触スイッチを配設することを特徴とする。
モータにより回転する回転軸と、その回転軸に一体回転するが軸方向には摺動自在に取り付けられるドラムと、そのドラムに外嵌してネジ係合するスリーブを有するドラムベースと、上端部がドラムに止着され下端部が日射遮蔽体に止着される昇降コードとを備える電動ブラインドの場合、検出体は、ドラムに取り付けられ、非接触スイッチは、検出体が近接するドラムベース上の位置に取り付けられる。
【発明の効果】
【０００５】
本発明の昇降限度位置検出機構は、非接触方式であるから、電動ブラインドの昇降コードがドラムに巻き取られ又は巻き解かれて日射遮蔽体が昇降限度位置に達すると、ドラムベース上の非接触スイッチはドラム上の検出体を検出すると同時に作動してモータの回転を停止させるから、日射遮蔽体を所定の昇降限度位置に高精度で停止させることができる。
【発明を実施するための最良の形態】
【０００６】
上昇及び下降限度位置を検出するときは、複数の検出体及び非接触スイッチを設け、一方の検出体は、日射遮蔽体が上昇限度位置に達するときに一方の非接触スイッチに近接し、他方の検出体は、日射遮蔽体が下降限度位置に達するときに他方の非接触スイッチに近接するように設定する。
【０００７】
検出体は、ドラムに直接取り付けるか、又は、検出体をリングに取り付け、そのリングをドラムにネジ係合により外嵌する。日射遮蔽体が所定の上昇又は下降限度位置にあるとき、検出体はリングの最下位置に達し、その真下に非接触スイッチが位置するように設定することが好ましい。
【０００８】
ドラムとリングは、通常、スリップせずに一体回転するが、少し外力を加えると、相互にスリップする程度の摩擦嵌合とすると、検出体のドラムに対する角度位置が簡単に変更できるから、昇降限度位置の調整が容易になる。このような摩擦嵌合は、ドラムとリングの間にリング内周面を弧状に横切るバネ線、バネ板等の弾性体を介在させることにより得られる。
【実施例】
【０００９】
本発明を図面に示す実施例に基づいて説明する。図１は本発明機構の実施例を備える電動ブラインドの要部を示す立断面図、図２は図１のＩＩ−ＩＩ線矢視図、図３は図１のドラムの端面図である。
【００１０】
図１及び図２に示すように、電動ブラインドのモータにより回転する回転軸１は、ヘッドボックス２内を貫通する角軸である。その回転軸１にドラム３が一体回転するが軸方向には摺動自在に取り付けられる。そのドラム３はスリーブ４を貫通し、ドラム３の外周面の雄ねじはスリーブ内周面の雌ねじとネジ係合するする。スリーブ４はドラムベース５と一体であり、ドラムベース５はヘッドボックス２に固定されてドラム３を支持する。昇降コード６の上端はドラム３に止着され、下端はドラムベース５とヘッドボックス２のコード孔から垂下し図外の日射遮蔽体の下端部のボトムレール等に止着される。
【００１１】
矢印Ａ及びＢで示すように、回転軸１が一方に回転すると、ドラム３は回転軸１と共に一方に回転しながら軸方向の一方側に摺動し、昇降コード６はドラム３から巻き解かれるから、日射遮蔽体は下降する。回転軸１が他方に回転すると、ドラム３は回転軸１と共に一方に回転しながら軸方向の一方側に摺動し、昇降コード６はドラム３に巻き取られるから、日射遮蔽体は上昇する。
【００１２】
ドラムベース５上においてドラム３の他端部の真下の位置に近接スイッチ７を取り付ける。リング８の外周面に磁性体９として粒状永久磁石を埋め込み、そのリング８をドラム３の他端部にネジ係合により外嵌する。磁性体９は、日射遮蔽体が所定の下降限度位置にあるとき、近接スイッチ７の真上においてリング８の最下位置にくるように調整する。ドラム３とリング８はバネ線を介して摩擦嵌合し、通常はスリップせずに一体回転するが、少し外力を加えると、相互にスリップするから、磁性体９の位置調整は容易である。
【００１３】
図３に示すように、バネ線１０は、リング８の端面に形成された環状座１１に取り付けられ、リング８の内周面を弧状に横切る。バネ線の両端は、環状座１１からリング８の外周面に抜ける孔に掛け止めされる。
【００１４】
図４及び図５に示すように、モータが回転軸１を一方に回転して昇降コード６をドラム３から巻き解き、日射遮蔽体が所定の下降限度位置まで降下すると磁性体９が近接スイッチ７の真上にくるから、近接スイッチは磁性体９を検出し、直ちにモータへの電流を遮断する。したがって、日射遮蔽体は、所定の下降限度位置に高精度で停止する。
【００１５】
日射遮蔽体の昇降限度位置は、磁性体９の移動により調整する。磁性体９は、リング８のドラム３に対するスリップ回転により簡単に移動することができる。ドラム３とネジ係合するリング８を、バネ線の弾性摩擦に抗して、矢印Ｃで示すようにスリップ回転させると、矢印Ｄで示すように、軸方向にも移動するから、磁性体９は螺旋状に移動する。昇降限度位置の調整は、リング８をスリップ回転するだけであるから、至極容易であり、上下はリング８の回転方向により定まり、距離は磁性体９の移動長に等しい。
【００１６】
図６は、別の実施例を備える電動ブラインドの要部を示す立断面図である。この実施例は、上昇及び下降限度位置を検出する。
【００１７】
ドラムベース５上においてドラム３の一端部の真下の位置に近接スイッチ７ａが取り付けられる。ドラム３の一端部にはリング８ａがネジ係合により外嵌され、そのリング８ａの外周面には磁性体９ａが埋め込まれる。日射遮蔽体が所定の上昇限度位置にあるとき、磁性体９ａは、近接スイッチ７ａの真上においてリング８の最下位置にくる。上記以外の構成は前記実施例と同じである。
【００１８】
モータが回転軸１を回転して昇降コード６をドラムに巻き取り、日射遮蔽体が所定の上昇限度位置まで上昇すると、近接スイッチ７ａがドラム３に外嵌するリング８ａの磁性体９ａを検出してモータを停止させる。モータが回転軸１を反対に回転して日射遮蔽体が所定の下降限度位置まで降下すると、近接スイッチ７がドラム３に外嵌するリング８の磁性体９を検出してモータを停止させる。したがって、日射遮蔽体は、所定の上昇及び下降限度位置に高精度で停止する。
【図面の簡単な説明】
【００１９】
【図１】本発明機構の実施例を備える電動ブラインドの要部を示す立断面図、
【図２】図１のＩＩ−ＩＩ線矢視図、
【図３】図１のドラムの端面図、
【図４】実施例の下降限度位置検出状態を示す図、
【図５】図４のＶ−Ｖ線矢視図、
【図６】別の実施例を備える電動ブラインドの要部を示す立断面図。
【符号の説明】
【００２０】
１：回転軸
２：ヘッドボックス
３：ドラム
４：スリーブ
５：ドラムベース
６：昇降コード
７：近接スイッチ
８：リング
９：磁性体
１０：バネ線
１１：環状座
【図１】
2006112166.tif 000003
【図２】
2006112166.tif 000004
【図３】
2006112166.tif 000005
【図４】
2006112166.tif 000006
【図５】
2006112166.tif 000007
【図６】
2006112166.tif 000008